(57)【要約】【課題】  ホログラムフィルムを用いた場合に匹敵する虹色に光るような模様をグラビア印刷で実現する。【解決手段】アルミ蒸着フィルム層４と透明フィルム層１間に印刷インキ層２を積層したプラスチックフィルムにより製袋される食品用包装袋において、印刷インキ層の模様を構成するインキに非透光性を有するインキ、透光性を有するカラーインキ、透明インキまたは非インキ部を含み、透光性を有するカラーインキを複数色組み合わせることによりアルミ蒸着フィルム層のメタリック色が混じったメタリック調の模様Ｃ（Ｇ）とするとともに、上記メタリック調の模様に隣接して非透光性を有するインキによる模様Ｗを配する。【選択図】  図１
2015182791.tif 000002
【特許請求の範囲】
【請求項１】
アルミ蒸着フィルム層と透明フィルム層間に印刷インキ層を積層したプラスチックフィルムにより製袋される食品用包装袋において、印刷インキ層の模様を構成するインキに非透光性を有するインキ、透光性を有するカラーインキ、透明インキまたは非インキ部を含み、透光性を有するカラーインキを複数色組み合わせることによりアルミ蒸着フィルム層のメタリック色が混じったメタリック調の模様とするとともに、上記メタリック調の模様に隣接して非透光性を有するインキによる模様を配したことを特徴とする食品用包装袋。
【請求項２】
非透光性を有するインキによる模様は透光性を有するカラーインキによるメタリック調の模様に対し不規則に配される請求項１記載の食品用包装袋。
【請求項３】
非透光性を有するインキは白インキまたは黒インキである請求項１または２記載の食品用包装袋。
【請求項４】
透光性を有するカラーインキによるメタリック調の模様はグラデーション模様である請求項１から３のいずれかに記載の食品用包装袋。
【請求項５】
透光性を有するカラーインキによるメタリック調の模様は調子変化処理を行った調子模様である請求項１から３のいずれかに記載の食品用包装袋。
【発明の詳細な説明】
【技術分野】
【０００１】
この発明は食品を流通するに際し、それを収容するために使用するプラスチックフィルムからなる包装袋に関し、より詳細にはホログラム調の模様を実現した食品用包装袋に関する。
【背景技術】
【０００２】
今日では食品の流通に際しては、その場で調製した食品を包装して販売する対面販売に代わり、予め食品工場で調製した加工食品類、パン類、菓子類などを包装した包装入り食品を、コンビニエンスストアやスーパーマーケット等の小売店舗で販売する方式が主流となりつつある。
【０００３】
前記の販売方式においては包装入り食品は小売店舗の店内の陳列棚などに陳列され、客は購入にあたってはそれを手にとって吟味する。従って、包装自体にも客の購買意欲を惹いたり、客の目につきやすくなるようなデザイン状の工夫が要求される。
【０００４】
前記の場合、包装袋自体は食品を包装することが第一番の目的なので、その機能を損なうような形状の変更は行うことができず、表面に施される色や模様にデザイン状の工夫を施すことになる。
【０００５】
前記において、客の購買意欲を惹いたり、客の目につきやすくなるようなデザイン状の工夫として、包装袋にホログラムフィルムを使用することが提案されている（例えば、特許文献１）。干渉縞を用いたホログラムフィルムは見る位置や角度によって、反射光の色が複雑に変化して虹色に光る装飾性を得られるので、客の購買意欲を惹いたり、客の目を惹くのに最適な手法となる。
【先行技術文献】
【特許文献】
【０００６】
【特許文献１】実用新案登録第３１４８６４４号公報
【発明の開示】
【発明が解決しようとする課題】
【０００７】
しかしながら、ＵＶ硬化インクやＵＶ硬化型樹脂を用いてホログラムパターンを形成するホログラムフィルムにはＵＶ残渣があるために、食品を包装するための素材として用いることが難しい問題があった。
【０００８】
一方、予め食品工場で調製した加工食品類、パン類、菓子類などを包装した包装入り食品は流通に際し、異物の混入の有無を検査する欠点検知器での検査が不可欠となるが、ホログラムフィルムを用いた場合は検査光束がその表面で乱反射してしまうので使用できな問題があった。
【０００９】
また、感光材料を用いた密着露光法や、微細なエンボス加工を平滑なフィルム表面に施す方法等により得るホログラムフィルムは製造コストが嵩みく、その場で消費されてしまう食品用包装袋で使用することはコスト面で引き合わない問題があった。
【課題を解決するための手段】
【００１０】
この発明は前記の問題を解消した食品用包装袋を目的として創作されたものである。
【００１１】
すなわち、この発明の食品用包装袋は、アルミ蒸着フィルム層と透明フィルム層間に印刷インキ層を積層したプラスチックフィルムにより製袋される食品用包装袋において、印刷インキ層の模様を構成するインキに非透光性を有するインキ、透光性を有するカラーインキ、透明インキまたは非インキ部を含み、透光性を有するカラーインキを複数色組み合わせることによりアルミ蒸着フィルム層のメタリック色が混じったメタリック調の模様とするとともに、上記メタリック調の模様に隣接して非透光性を有するインキによる模様を配したことを特徴とする。
【００１２】
また、請求項２記載の食品用包装袋は、非透光性を有するインキによるメタリック調の模様は透光性を有するカラーインキによる模様に対し不規則に配されることを特徴とする。
【００１３】
また、請求項３記載の食品用包装袋は、非透光性を有するインキは白インキまたは黒インキであることを特徴とする。
【００１４】
また、請求項４記載の食品用包装袋は、透光性を有するカラーインキによるメタリック調の模様はグラデーション模様であることを特徴とする。
【００１５】
また、請求項５記載の食品用包装袋は、透光性を有するカラーインキによるメタリック調の模様は調子変化処理を行った調子模様であることを特徴とする。
【発明の効果】
【００１６】
メタリック色によるグラデーション模様や調子変化処理を行った調子模様をグラビア印刷により施すことはいうまでもなく周知技術である。これに対し、この発明においてはメタリック色を有するアルミ蒸着フィルム層の上に透光性を有するカラーインキ層を積層することにより、カラーインキの地色に対してその底面から透過するアルミ蒸着フィルム層の地色がブレンドされたメタリックカラーを得ている。そして、メタリックカラーの上面には透明フィルムが積層されるので、透明フィルムによる光の屈折具合も相まって光の加減によりあたかも虹色に光るような効果を得ることができ、この効果はグラデーション模様や調子模様などのメタリック調の模様に隣接して非透光性を有するインキによる模様を配することにより、それとのコントラストによりさらに強調されることとなる。
【００１７】
また、請求項２記載の発明によれば、非透光性を有するインキによる模様が透光性を有するカラーインキによるメタリック調の模様に対し不規則に配されることにより前記の効果はより顕著となる。
【００１８】
よって、この発明によれば、ホログラムフィルムを用いた場合に匹敵する虹色に光るような意匠効果が汎用のインキを用いて実現できるので、欠点検知器での異物や皺などの検知が可能な食品用包装袋を低コストで実現することが可能となる。
【図面の簡単な説明】
【００１９】
【図１】この発明の食品用包装袋の断面図。
【図２】この発明の食品用包装袋の異なる実施例の断面図。
【図３】この発明の食品用包装袋の模様＋箇所の平面図。
【図４】この発明の食品用包装袋の異なる実施例の模様箇所の平面図。
【図５】この発明の食品用包装袋の斜視図。
【図６】この発明の食品用包装袋の異なる実施例の斜視図。
【発明を実施するための最良の形態】
【００２０】
以下、この発明の具体的実施例を添付図面に基づいて説明する。この発明の食品用包装袋はアルミ蒸着フィルム層と透明フィルム層間に印刷インキ層を積層したプラスチックフィルムにより製袋される。図１は前記フィルムの断面を示すものであり、ここではＶＭ−ＰＥＴ（アルミ蒸着ポリエチレンテレフタレートフィルム）などのアルミ蒸着フィルム４とＯＰＰ( ２軸延伸ポリプロピレンフィルム）、ＰＥＴ（ポリエチレンテレフタレートフィルム）、ＯＮＹ（延伸ナイロンフィルム）などの透明フィルム１間に印刷インキ層２を積層した構成を示す。この実施例においてはインキは透明フィルム１の裏面に印刷されるとともに、透明フィルム１とアルミ蒸着フィルム４はＬＤＰＥ（低密度ポリエチレン）３により溶着されるか、または接着剤により接着される。また、ここでは製袋のためのヒートシール性を持たせるためにアルミ蒸着フィルム４の裏面にはＣＰＰ（無延伸ポリプロピレンフィルム）がＬＤＰＥ（低密度ポリエチレン）３により溶着されるか、または接着剤により接着される。
【００２１】
図２は前記フィルムの異なる実施例の断面を示すものであり、ここではＶＭ−ＣＰＰ（アルミ蒸着無延伸ポリプロピレンフィルム）、ＶＭＬＬ（アルミ蒸着直鎖状低密度ポリエチレンフィルム）などのアルミ蒸着シーラントフィルム１３とＯＰＰ（２軸延伸ポリプロピレンフィルム）、ＰＥＴ（ポリエチレンテレフタレートフィルム）、ＯＮＹ（延伸ナイロンフィルム）などの透明フィルム１１間に印刷インキ層１２を積層した構成を示す。この実施例においてはインキは透明フィルム１１の裏面に印刷されるとともに、透明フィルム１１とアルミ蒸着シーラントフィルム１４は接着剤１３により接着される。ここでは製袋のためのヒートシール性はアルミ蒸着シーラントフィルム１３により実現される。
【００２２】
この発明においては、前記の印刷インキ層２または１２において、包装袋の模様が構成されるが、印刷インキ層の模様を構成するインキには非透光性を有するインキ、透光性を有するカラーインキ、透明インキまたは非インキ部が含まれる。非透光性を有するインキとしては、白インキや黒インキが想定されるが、使用されるカラーインクと異なる色彩の非メタリックカラーのインキであればこれらに限定されるものではない。
【００２３】
図３および図４は前記のインキを用いた模様の例を示す図である。図３においては、透光性を有するカラーインキを複数色組み合わせることによりアルミ蒸着フィルム層のメタリック色が混じったグラデーション模様Ｇとするとともに、上記グラデーション模様に隣接して白インキによる模様Ｗを配している。また、図中符号Ｍは透明インキまたは非インキ部により表されるアルミ蒸着フィルム層の地色によるメタリックカラーの模様を指す。
【００２４】
また、図４においては、透光性を有するカラーインキを複数色組み合わせることによりアルミ蒸着フィルム層のメタリック色が混じったメタリック調の調子変化処理を行った調子模様Ｃとするとともに、上記調子模様に隣接して白インキによる模様Ｗを配している。
【００２５】
以上の構成よりなるプラスチックフィルムによりこの発明の食品用包装袋は構成される。図５は前記プラスチックフィルムＳを用いた合掌袋を示す図であり、筒の一端箇所Ｈ１と合掌箇所Ｈ２をヒートシールすることにより製袋される。
【００２６】
また、図６は前記プラスチックフィルムＳ１、Ｓ２を用いた三方袋を示す図であり、底辺箇所Ｈ１１と両側辺箇所Ｈ１２、Ｈ１２をヒートシールすることにより製袋される。
【００２７】
なお、以上の製袋例は例示であり、袋の形態は前記に限られないことは勿論である。
【符号の説明】
【００２８】
１        透明フィルム
２        印刷インキ
４        アルミ蒸着フィルム
Ｃ        調子模様
Ｇ        グラデーション模様
Ｍ        透明インキまたは非インキ部による模様
Ｗ        非透光性を有するインキによる模様
【図１】
2015182791.tif 000003
【図２】
2015182791.tif 000004
【図５】
2015182791.tif 000005
【図６】
2015182791.tif 000006
【図３】
2015182791.tif 000007
【図４】
2015182791.tif 000008